(57)【要約】      （修正有）【課題】軽量で頭部に装着した際に違和感がなく、烈しい運動や衝撃、振動等によっても眼鏡を確実に頭部に保持、固定でき、また長さの調整が容易で、さらに眼鏡の頭部への固定だけでなく、必要に応じて眼鏡を着用者の顎の下方や胸元に頸から吊り下げておくことができる眼鏡保持具を提供する。【解決手段】耳掛けつる部の端部が圧入される穴１５を備えた一対の弾性筒状部２，３と、基端が弾性筒状部の一端に埋め込まれ、先端に駒部材８，９が固着された一対のワイヤ部材４，５とを有し、ワイヤ部材はそれぞれ他方のワイヤ部材に固着された駒部材に所定の摩擦力をもってスライド可能に嵌挿され、ワイヤ部材の先端に固着された駒部材をそれぞれ他方のワイヤ部材に沿ってスライドさせることにより、一方の弾性筒状部２から他方の弾性筒状部３に至る長さを変え得るようにした。【選択図】図１
0003199257.tif 000002
【実用新案登録請求の範囲】
【請求項１】
眼鏡の耳掛けつる部に嵌合され、眼鏡着用者の頸部近傍の背頭部に掛け渡される眼鏡保持具であって、
前記耳掛けつる部の端部が圧入される穴を備えた一対の弾性筒状部と、
基端が前記弾性筒状部の一端に埋め込まれた一対のワイヤ部材と、
前記ワイヤ部材の先端に固着された一対の駒部材と、
を有し、前記ワイヤ部材はそれぞれ他方の前記ワイヤ部材に固着された前記駒部材に所定の摩擦力をもってスライド可能に嵌挿され、前記ワイヤ部材の先端に固着された前記駒部材をそれぞれ他方の前記ワイヤ部材に沿ってスライドさせることにより、一方の前記弾性筒状部から他方の前記弾性筒状部に至る長さを変え得るようにしたことを特徴とする眼鏡保持具。
【考案の詳細な説明】
【技術分野】
【０００１】
本考案は、眼鏡の着用者が眼鏡を頭部に保持するのに使用される眼鏡保持具、特に、眼鏡の耳掛けフレーム部分を着用者の背頭部で固定するのに適した眼鏡固定具に関する。
【背景技術】
【０００２】
一般に眼鏡は一対のレンズの外端から耳側へ向ってのびる硬質の細枠部材を備え、この細枠部材の先端部分が耳の付根に沿って折曲ないしわん曲し、この部分を頭部と耳の根元部との間に挟み込んで眼鏡を保持する。ここでは前記細枠部材を眼鏡の「耳掛けつる部」と称することとするが、この耳掛けつる部の先端（後端）は単に耳の付根裏側に挟み込むだけであるため、着用状態で頭部をはげしく動かしたりすると、眼鏡がずれたり、場合によっては外れ落ちたりすることがある。特に、はげしい運動をするスポーツ選手等では運動中に眼鏡がずれないように気を使わなければならず、万一外れ落ちたりすると危険な事故となる。
【０００３】
このような事故をなくすために従来から眼鏡の一対の耳掛けつる部を頭部の背側できつく連結し、眼鏡のずれ落ちを防止するようにした眼鏡固定具が提案されている。
一方、人によっては必要な時のみ眼鏡を着用し、不要なときには眼鏡を外して卓上に置いたり、しまい込んだりすることがあり、外した眼鏡を置き忘れるなど紛失してしまうことがある。これを防止するため、眼鏡のつる部に長い紐状の部材を取り付け、この紐を頸の背側へ掛け渡し、外した眼鏡を顎の下側〜胸元へ垂下させておくようにしたものも実際に存在している。
【先行技術文献】
【特許文献】
【０００４】
【特許文献１】特開２０１４−８１４６０号公報
【特許文献２】特開２０１３−２０１０２号公報
【特許文献３】実用新案登録第３１７４８２５号公報
【特許文献４】実用新案登録第３０１９７０９号公報
【考案の概要】
【考案が解決しようとする課題】
【０００５】
この種の眼鏡保持具は装着状態で人体に違和感がなく、かつ軽量で着脱も容易であることが求められる。さらに、眼鏡の種類、特に眼鏡のつる部の種々仕様、形状のものにも共通に適用でき、また、なるべく頭髪に隠れて外部から目立たないようなものが好まれる。また、例えばスポーツ用など頭部に確実に眼鏡を固定できると同時に、眼鏡の紛失、置き忘れ防止用として、外した眼鏡を頸から顔の顎部下方ないし胸部付近に垂下、保持させておくような機能も兼ねたものが要望される。
【０００６】
上述のような種々の要望を満たすような眼鏡保持具は未だ存在していない。特許文献１に記載の眼鏡固定具は、頭部背側に接当する帯状固定部材が偏平巾広の部材であって、その両端部を眼鏡本体部から左右にのびた偏平なテンプル部に連結する構造のため、市販の種々の形態の眼鏡にそのまま適用することはできない。また、この構造の固定具は長さの調製が有段、例えば３段階の長さ調整であり、子供から大人まであらゆる人に適用できるように無段階に細かく調整できるようにはなっていない。
【０００７】
特許文献２の眼鏡保持用治具は、鼻パッドの無い眼鏡を頭部の背面で眼鏡の両側のテンプル部をつなぐようにしたものであり、スポ−ツ用などはげしい運動や振動の際にはずれ落ちるおそれがある。
【０００８】
特許文献３の眼鏡および眼鏡セットは眼鏡の前面側に偏った重量の過半量を頭部背側へかかるように重量配分して眼鏡が顔の前面下方へずれ下がるのを防止した構造であり、耳掛けフレーム即ち耳掛けつる部に連結される頭部背側の伸長部材を長さ調整して頭部に締め付けるという構造ではない。
【０００９】
さらに特許文献４の眼鏡保持紐は編み紐の伸縮性を利用して頭部背頸部に締め付けるものであり、紐自体に長さ調整機能を付加ものではなく、長期使用によって紐自体が劣化するおそれがある。なお、特許文献１〜３のものは、いずれも眼鏡の頭部への固定のみを目的としたものであり、眼鏡の紛失や置き忘れ防止のための眼鏡吊下げの機能は有していない。
【００１０】
本考案は、軽量で頭部に装着した際に違和感がなく、烈しい運動や衝撃、振動等によっても眼鏡を確実に頭部に保持、固定できる眼鏡保持具を提供することを目的とする。
【００１１】
本考案はまた、長さの調整が容易で、着用者の頭部のサイズや形状に簡単に合せることができ、さらに各種仕様、形状の市販の眼鏡にもそのまま適用できる眼鏡保持具を提供することを目的とする。
【００１２】
本考案はさらに、眼鏡の頭部への固定だけでなく、必要に応じて眼鏡を着用者の顎の下方や胸元に頸から吊り下げておくことができ、これによって眼鏡の置き忘れや紛失の防止を図った眼鏡保持具を提供することを目的とする。
【課題を解決するための手段】
【００１３】
本考案によれば、眼鏡の耳掛けつる部に嵌合され、眼鏡着用者の頸部近傍の背頭部に掛け渡される眼鏡保持具であって、前記耳掛けつる部の端部が圧入される穴を備えた一対の弾性筒状部と、基端が前記弾性筒状部の一端に埋め込まれた一対のワイヤ部材と、前記ワイヤ部材の先端に固着された一対の駒部材とを有し、前記ワイヤ部材はそれぞれ他方の前記ワイヤ部材に固着された前記駒部材に所定の摩擦力をもってスライド可能に嵌挿され、前記ワイヤ部材の先端に固着された前記駒部材をそれぞれ他方の前記ワイヤ部材に沿ってスライドさせることにより、一方の前記弾性筒状部から他方の前記弾性筒状部に至る長さを変え得るようにした眼鏡保持具が提供される。
【考案の効果】
【００１４】
本考案に係る眼鏡保持具は、軽量でかつ簡単に既存の眼鏡に装着出来、スポーツ動作時など強い振動や衝撃が頭部にかかっても眼鏡のずれや脱落を防止できる。また、全体の長さの調整が簡単にできるため、例えば頭髪を含めた頭部のサイズに容易に合せることができる。
【００１５】
さらに本考案では眼鏡の固定だけでなく、眼鏡の非使用時にも眼鏡を着用者の顎下や胸元に吊り下げておくことができ、たとえば卓上に置いた眼鏡の置き忘れや紛失を防止できる。
【図面の簡単な説明】
【００１６】
【図１】本考案の実施例に係る眼鏡保持具の一部裁断した平面図である。
【図２】図１の状態から長さを調整して全体の長さを長くした場合の眼鏡保持具の平面図である。
【図３】本考案の実施例で全体の長さを調整するときの途中の状態を示した眼鏡保持具の平面図である。
【図４】本考案の実施例に係る眼鏡保持具を用いて眼鏡を着用者の頸部近傍の頭部に固定した状態を示した図である。
【考案を実施するための形態】
【００１７】
次に、本考案を図面を参照しつつ実施例について説明する。
図１，図２を参照すれば、実施例の眼鏡保持具１は全体としては眼鏡の耳掛けつる部に嵌合される両端部を細紐状の部材で連結した長尺構造を成し、その両端に中空のシリコンゴム等の弾性筒状部２，３を有している。弾性筒状部２，３の外端は中空状態に開放されているが、軸方向内方の端部は外形が円錐状に先細となっており、この円錐状端部に後述するワイヤ部材４，５の一端が埋設固定されている。具体的には、円錐状の端部にワイヤ部材５の基端がきつく挿入される小径孔６が形成され、また、ワイヤ部材５の埋込み端部には、小さな丸玉状の膨らみ部７が設けられ、この膨らみ部７によってワイヤ部材５が弾性筒状部３から他端側（先端側）へ抜け出ないようになっている。他方の弾性筒状部２およびワイヤ部材４についても同様である。この実施例で各ワイヤ部材４，５は金属製の線材、例えばステンレス製線材の外周に樹脂製の被覆、具体的にはＰＶＣ皮膜が施され、かつ、全長にわたって表面が僅かに螺旋状あるいは極小の連続凹凸形状を呈するように構成されている。
【００１８】
弾性筒状部２，３から伸長したワイヤ部材４，５の先端には硬質ゴムあるいは樹脂製の偏平な駒部材８，９が固着されている。このように、この眼鏡保持具１は左右一対の弾性筒状部２，３と、左右一対のワイヤ部材４，５と、各ワイヤ部材４，５の先端に固着された左右一対の駒部材８，９とを有して構成されるが、一方のワイヤ部材４先端の駒部材８には他方のワイヤ部材５が所定の摩擦力をもってスライドするように嵌挿されている。
【００１９】
同様に前記他方のワイヤ部材５の先端の駒部材９には前記一方のワイヤ部材４が所定の摩擦力をもってスライドするように嵌挿されている。これらのワイヤ部材４，５と駒部材８，９との間の摩擦力は、両端の弾性筒状部２，３を両手でつまんで左右に引張っても容易にワイヤ部材４，５が駒部材９，８に対してスライドしない摩擦力を有するとともに、一方の手で一方の弾性筒状部２または３をつまみ、他方の手でこの弾性筒状部２，３に隣接した駒部材９または８をつまんで左右に引張ることにより駒部材９，８がそれぞれワイヤ部材４，５上を或る抵抗力をもちながらスライドするような摩擦力となっている。
【００２０】
図３は眼鏡保持具１の長さを調整する途中の状態を示した図であって、弾性筒状部２に隣接した一方の駒部材９をワイヤ部材４に対して途中までスライドさせた状態である。この後、他方の弾性筒状部３とこれに隣接した側の駒部材８とを両手でつまんでそれぞれ右および左に引張ることにより、一対の弾性筒状部２，３間の長さ、即ち眼鏡保持具１の全長を長くすることができる。眼鏡保持具１の長さを短くする場合は、両側の駒部材８，９を両手でつまんで同時に右および左に強く引張ることにより、各駒部材８，９がワイヤ部材５，４上をすべって全長が短くなる。このようにして眼鏡保持具１の長さ調整が無段階になされ得る。
【００２１】
図４は本考案に係る眼鏡保持具１を用いて眼鏡１０を眼鏡着用者の頸部近傍の頭部１１に固定した状態を示した図である。眼鏡１０の耳掛けつる部１２の先端を眼鏡保持具１の弾性筒状部２，３の穴１５（図１）に深く嵌挿ないし圧入し、両弾性筒状部２，３間のワイヤ部材４，５を頸部〜頭部背側１３へ掛け渡すとともに、ワイヤ部材４，５の長さを調整してワイヤ部材４，５を緊密に頭部１１に接当させることにより、眼鏡１０は着用者の頭部１１に固定され、はげしい動きによる振動や衝撃に対しても眼鏡１０がずれたり、外れ落ちたりするのが防止される。眼鏡１０を頭部１１から外すときは、前述したように駒部材８，９を操作して眼鏡保持具１の全長を長くして固定を解き、頭部１１から眼鏡１０を取り外す。
【００２２】
以上は眼鏡を頭部に固定する場合であるが、本考案の眼鏡保持具１は眼鏡の置き忘れ防止、あるいは紛失防止用としても使用可能である。この場合は、眼鏡の耳掛けつる部に保持具１の弾性筒状部２，３を嵌挿させた状態で駒部材８，９を操作して眼鏡保持具１の全長を最大近くまで伸長させ、ワイヤ部材４，５を頭部の背側あるいは頸部に掛け渡し、眼鏡本体部を着用者の顎部の下方、胸元へ垂下させることにより、眼鏡の非使用時に眼鏡を着用者に対して保持状態にすることができ、これによって眼鏡の置き忘れや紛失を防止できる。
【００２３】
以上説明したように本考案に係る保持具の弾性筒状部は、変形可能なゴム様の弾性体で形成されているので、市販の眼鏡の耳掛けつる部の形状が多少異なるものに対しても充分な固着力をもって耳掛けつる部を弾性筒状部に嵌合させることができる。眼鏡の耳掛けつる部は、ほぼ平行に離間した２本のワイヤ部で頭部背側の頸部に拘束されるので、衝撃や振動を受けても眼鏡がずれたり、外れ落ちたりすることはない。眼鏡保持具の各部は特別大きな重量をもつ部材ではなく、全体として極めて軽量であり、装着しているときの違和感もなく、また全体として細いワイヤ部材で頭部下側を固定する構造のため、外部に目立つこともない。因みに樹脂被覆したワイヤ部の線径は１．３ｍｍ程度である。取付け、取外しの操作も簡単であり、全体の長さ調整も容易である。
【符号の説明】
【００２４】
１  眼鏡保持具
２，３  弾性筒状部
４，５  ワイヤ部材
６  小径孔
７  ワイヤ部材基端の膨らみ部
８，９  駒部材
１０  眼鏡
１２  耳掛けつる部
【図１】
0003199257.tif 000003
【図２】
0003199257.tif 000004
【図３】
0003199257.tif 000005
【図４】
0003199257.tif 000006